(57)【要約】【課題】  信号伝送経路を形成する各種素子の初期ばらつき・温度変化によるばらつき・経時変化によるばらつき等の誤差要因の影響を排除し、入力信号を正確に伝送することが可能な絶縁型信号伝送装置、絶縁型信号処理装置および絶縁型信号伝送方法を提供すること【解決手段】  絶縁型信号伝送装置１０において、基準電圧Ｖｒｅｆの分圧Ｖ１が電圧−ＰＷＭ変換部３に入力され、パルス信号Ｐ１が出力される。パルス信号Ｐ１はフォトカプラ４を介して絶縁伝送され、パルス信号Ｐ１ａとして出力され、ＣＰＵ１６に入力される。同様に、分圧Ｖ２に応じたパルス信号Ｐ２ａがＣＰＵ１６に入力される。パルス信号Ｐ１ａ、Ｐ２ａのデューティＤ１、Ｄ２に基づき、ＣＰＵ１６によって計算が行われ、デューティとアナログ入力電圧Ｖｉｎとの相関を表す入力電圧換算式が算出される。得られた入力電圧換算式を用いて、アナログ入力電圧Ｖｉｎのセンシングが行われる。【選択図】  図１
2006352646.tif 000002
【特許請求の範囲】
【請求項１】
アナログ入力信号を、絶縁伝送部を介して信号伝送装置出力信号として出力する絶縁型信号伝送装置において、
基準入力信号を発生する基準入力信号発生部と、
前記アナログ入力信号の入力端子から前記絶縁伝送部までの経路上に備えられ、前記基準入力信号と前記アナログ入力信号とを択一に選択するスイッチ部と
を備えることを特徴とする絶縁型信号伝送装置。
【請求項２】
前記絶縁伝送部から前記信号伝送装置出力信号の出力端子までの経路上に備えられ、
相異なる少なくとも２つの前記基準入力信号に応じて前記絶縁伝送部から出力される絶縁伝送部基準出力信号が入力され、
該絶縁伝送部基準出力信号に基づいて前記絶縁伝送部における入出力信号間の相関式を算出し、該相関式を用いて前記絶縁伝送部の出力信号から前記アナログ入力信号に応じた前記信号伝送装置出力信号を演算する演算部を備えることを特徴とする請求項１に記載の絶縁型信号伝送装置。
【請求項３】
前記基準入力信号発生部は、
所定電圧の基準電圧を発生する基準電圧発生回路と、
該基準電圧を分圧する分圧回路と
を備えることを特徴とする請求項１に記載の絶縁型信号伝送装置。
【請求項４】
前記スイッチ部と前記絶縁伝送部との経路間に、２値信号変換器を備えることを特徴とする請求項１に記載の絶縁型信号伝送装置。
【請求項５】
アナログ入力信号を、絶縁伝送して信号伝送出力信号として出力する絶縁型信号伝送方法において、
基準入力信号を発生するステップと、
前記基準入力信号を絶縁伝送して絶縁伝送時基準出力信号を取得するステップと、
該絶縁伝送時基準出力信号を用いて、前記絶縁伝送の前後における信号の相関を取得するステップと、
該相関式を用いて前記絶縁伝送された信号から前記アナログ入力信号に応じた前記信号伝送出力信号を演算するステップと
を備えることを特徴とする絶縁型信号伝送方法。
【請求項６】
前記絶縁伝送の前後における信号の相関を取得するステップは、
前記アナログ入力信号の絶縁伝送の開始に先立ちまたは／および前記アナログ入力信号の絶縁伝送の開始に伴って行われることを特徴とする請求項５に記載の絶縁型信号伝送方法。
【請求項７】
アナログ入力信号を、絶縁伝送部を介して信号伝送装置出力信号として出力する絶縁型信号伝送装置において、
基準入力信号を発生する基準入力信号発生部と、
前記アナログ入力信号の入力端子から前記絶縁伝送部までの経路上に備えられ、前記基準入力信号と前記アナログ入力信号とを択一に選択するスイッチ部と、
前記スイッチ部から入力される信号のレベルに応じたデューティを有する電気パルスを前記絶縁伝送部に出力するＰＷＭ変換部と、
前記基準入力信号を絶縁伝送して得られる絶縁伝送部基準出力信号に基づいて前記絶縁伝送部における入出力信号間の相関式を算出し、該相関式を用いて前記絶縁伝送部の出力信号から前記アナログ入力信号に応じた前記信号伝送装置出力信号を演算する演算部と
を備えることを特徴とする絶縁型信号伝送装置。
【請求項８】
アナログ入力信号を絶縁伝送部を介して信号伝送装置出力信号として出力する請求項１に記載の絶縁型信号伝送装置に加え、さらに前記信号伝送装置出力信号が入力される演算部を備える絶縁型信号処理装置であって、
該演算部は、相異なる少なくとも２つの基準入力信号に応じて前記絶縁型信号伝送装置から出力される基準出力信号が入力され、
前記基準出力信号に基づいて前記絶縁型信号伝送装置の入出力信号間の相関式を算出し、
該相関式を用いて前記信号伝送装置出力信号から前記アナログ入力信号に応じた信号を演算することを特徴とする絶縁型信号処理装置。
【発明の詳細な説明】
【技術分野】
【０００１】
本発明は、絶縁を維持して信号を伝送する装置および方法に関するものであり、特に、信号経路に存在する様々な誤差要因の影響を受けずに正確な信号伝送を可能とする絶縁型信号伝送装置、絶縁型信号処理装置および絶縁型信号伝送方法に関するものである。
【背景技術】
【０００２】
図４は、特許文献１に開示されている絶縁型信号伝送装置の構成を示すブロック図である。電圧検出のため計測対象の電圧を、計測処理に適したレベルに変換する電圧変換装置である。分圧回路１０１で、変換対象のアナログ入力電圧Ｖｉｎが分圧され、電圧ｄが得られる。比較回路１０３で、電圧ｄに比例するデュ−ティのＰＷＭパルスｅが発生される。フォトカプラ１０４で、ＰＷＭパルスｅが絶縁伝送される。充電回路１０５、積分回路１０６、基準電圧回路１０８で、フォトカプラ１０４が受信再生した電気パルスｆのデュ−ティを電圧値に変換する。この電圧が出力バッファ１０７を介して、図示しない計測回路（Ａ／Ｄ変換器）に与えられる。
【０００３】
尚、その他の関連技術として、特許文献２および３に開示されている絶縁型信号伝送装置がある。
【特許文献１】特開平１０−３３２７４７号公報
【特許文献２】特開平６−９５８０６号公報
【特許文献３】特開平５−１０３４８０号公報
【発明の開示】
【発明が解決しようとする課題】
【０００４】
しかしながら従来の絶縁型信号伝送装置では、信号経路に存在する様々な誤差要因（信号経路を形成する各種素子の特性における、初期ばらつき・温度変化による精度ばらつき・劣化に代表される経時変化による精度ばらつき等）を補正するための回路が存在しないため、これらのばらつきの影響を排除できない。すると当該ばらつきに起因して、入力信号を正確に伝送することができず、計測対象の電圧のセンシングを正確に行うことができないため問題である。
【０００５】
本発明は前記従来技術の課題の少なくとも１つを解消するためになされたものであり、信号伝送経路を形成する各種素子の特性における、初期ばらつき・温度変化による精度ばらつき・劣化に代表される経時変化による精度ばらつき等の誤差要因の影響を排除し、入力信号を正確に伝送することが可能である絶縁型信号伝送装置、絶縁型信号処理装置および絶縁型信号伝送方法を提供することを目的とする。
【課題を解決するための手段】
【０００６】
前記目的を達成するために、請求項１に係る絶縁型信号伝送装置は、アナログ入力信号を、絶縁伝送部を介して信号伝送装置出力信号として出力する絶縁型信号伝送装置において、基準入力信号を発生する基準入力信号発生部と、アナログ入力信号の入力端子から絶縁伝送部までの経路上に備えられ、基準入力信号とアナログ入力信号とを択一に選択するスイッチ部とを備えることを特徴とする。
【０００７】
本発明に係る絶縁型信号伝送装置は、アナログ入力信号に対応する出力信号を、絶縁を保って伝送した上で出力することが可能な装置である。アナログ入力信号および信号伝送装置出力信号は、電圧または電流による信号である。ここでアナログ入力信号としては例えば、制御対象である負荷の母線電圧などが挙げられる。また絶縁伝送部としては例えば、フォトカプラやトランス等が挙げられる。基準入力信号発生部は、温度変化等の影響を受けない、安定した正確な電圧や電流を発生することが可能な回路である。スイッチ部は、アナログ入力信号の入力端子から絶縁伝送部までの経路上に備えられる。
【０００８】
基準入力信号発生部は、基準入力信号を発生する。そしてスイッチ部によって、基準入力信号とアナログ入力信号とが択一に選択された上で、絶縁伝送部により伝送され、信号伝送装置出力信号が得られる。
【０００９】
これにより、基準入力信号が信号経路を経て信号伝送装置出力信号として出力されたときの実測値を得ることができる。ここで、基準入力信号は、温度変化等の影響を受けにくい正確な信号であることから、信号伝送装置出力信号には信号経路の誤差要因（信号経路を形成する各種素子の特性における、初期ばらつき・温度変化による精度ばらつき・劣化に代表される経時変化による精度ばらつき等）が正確に現れている。よって当該実測値を用いて、アナログ入力信号と信号伝送装置出力信号との相関を補正することが可能となる。例えば基準入力信号が１つである場合には、相関関数にオフセットをかける補正を行うことができる。また基準入力信号が２つ以上である場合には、相関関数のゲイン（変化割合）の補正を行うことができる。
【００１０】
これにより信号経路を構成する各種素子の特性にイニシャル素子ばらつきが存在する場合等においても、正確にアナログ入力信号を伝送することが可能となる。よって、信号伝送装置出力信号から正確なアナログ入力電圧を得ることが可能となる。
【００１１】
また請求項２に係る絶縁型信号伝送装置は、請求項１に記載の絶縁型信号伝送装置において、絶縁伝送部から信号伝送装置出力信号の出力端子までの経路上に備えられ、相異なる少なくとも２つの基準入力信号に応じて絶縁伝送部から出力される絶縁伝送部基準出力信号が入力され、該絶縁伝送部基準出力信号に基づいて絶縁伝送部における入出力信号間の相関式を算出し、該相関式を用いて絶縁伝送部の出力信号からアナログ入力信号に応じた信号伝送装置出力信号を演算する演算部を備えることを特徴とする。
【００１２】
演算部は、絶縁伝送部から信号伝送装置出力信号の出力端子までの経路上に備えられる。また演算部には相異なる少なくとも２つの絶縁伝送部基準出力信号が入力される。絶縁伝送部基準出力信号は、基準入力信号に応じて絶縁伝送部から出力される信号である。また演算部は、絶縁伝送部基準出力信号を用いて、絶縁伝送部に入力される信号と絶縁伝送部から出力される信号との相関式を演算する。そして得られた当該相関式を用いて、絶縁伝送部の出力信号からアナログ入力信号に応じた信号伝送装置出力信号を算出する。相関式の演算には、少なくとも２つの絶縁伝送部基準出力信号が用いられる。よって相関式におけるゲイン（絶縁伝送部から出力される信号に対する、絶縁伝送部に入力される信号の変化割合）を演算することが可能となる。ゲインの演算方法は、例えば、２つの絶縁伝送部基準出力信号が得られている場合には、直線補間することで１次関数を得る方法が挙げられる。また３つ以上の複数の絶縁伝送部基準出力信号が得られている場合には、最小二乗法を用いる補間方法や、これらの平均値を算出する補間方法が挙げられる。そして演算部は、演算したアナログ入力信号に応じた信号伝送装置出力信号を絶縁型信号伝送装置の出力信号として出力する。
【００１３】
これにより、信号経路を構成する各種素子の特性にイニシャル素子ばらつきが存在する場合等においても、これらの誤差要因が補正され取り除かれた相関式を算出し使用することで、絶縁伝送部の出力信号から正確なアナログ入力電圧を得ることが可能となる。またこれにより、信号経路を構成する各種素子に温度変化による特性ばらつきが存在したり、劣化等の経時変化による特性ばらつきが存在した場合においても、演算部で当該相関式を適宜更新することにより、これらの特性ばらつきの経時的な影響を排除できるため、絶縁伝送部の出力信号から正確なアナログ入力電圧を算出することが可能となる。よって、正確にアナログ信号を伝送することが可能となる。
【００１４】
また請求項３に係る絶縁型信号伝送装置は、請求項１に記載の絶縁型信号伝送装置において、基準入力信号発生部は、所定電圧の基準電圧を発生する基準電圧発生回路と、該基準電圧を分圧する分圧回路とを備えることを特徴とする。
【００１５】
基準電圧発生回路は、素子の初期ばらつきや温度変化によって変動を受けない正確な所定電圧の基準電圧を発生する。分圧回路は、該基準電圧を分圧する。よって、正確な値を有する複数の異なる基準電圧を得ることができる。
【００１６】
またこのとき、分圧回路は、同一構成の抵抗素子を複数備えて構成される形態としてもよい。これにより、環境温度の変化等によっても分圧比が変動することを抑制することが可能である。よって温度変化に伴う抵抗値の変動幅のばらつきに起因する、分圧回路の分圧ばらつきを低減することが可能となる結果、正確な複数の異なる基準電圧を得ることができる。
【００１７】
また請求項４に係る絶縁型信号伝送装置は、請求項１に記載の絶縁型信号伝送装置において、スイッチ部と絶縁伝送部との経路間に、２値信号変換器を備えることを特徴とする。
【００１８】
２値信号変換器は、スイッチ部と絶縁伝送部との経路間に備えられる。２値信号変換器は、アナログ入力信号を２値信号に変換する。そして絶縁伝送部は、当該変換後の２値信号を伝送する。２値信号には例えば、アナログ信号のレベルに対応したパルスデューティを有する電気パルス信号や、所定のビット数を備えたビット信号を用いることができる。
【００１９】
アナログ信号を伝送可能な絶縁伝送部は、製造が難しく、信頼性、信号の伝送精度、経時劣化に対する耐性等が低くなる場合がある。しかし本発明では２値信号変換器を備えるため、２値信号を伝送可能な絶縁伝送部を用いれば足りる。これにより、アナログ信号を伝送可能な絶縁伝送部を用いることに起因する誤差要因を排除することができる。例えば絶縁伝送部としてフォトカプラを用いる場合には、リニア型のフォトカプラを用いる必要がなくなり、当該絶縁型信号伝送装置の信頼性を向上させることができる。
【００２０】
また請求項５に係る絶縁型信号伝送方法は、
アナログ入力信号を、絶縁伝送して信号伝送出力信号として出力する絶縁型信号伝送方法において、基準入力信号を発生するステップと、基準入力信号を絶縁伝送して絶縁伝送時基準出力信号を取得するステップと、該絶縁伝送時基準出力信号を用いて、絶縁伝送の前後における信号の相関を取得するステップと、該相関式を用いて絶縁伝送された信号からアナログ入力信号に応じた信号伝送出力信号を演算するステップとを備えることを特徴とする。
【００２１】
絶縁伝送時基準出力信号は、基準入力信号を絶縁伝送して得られる出力信号である。絶縁伝送の前後における信号の相関式は、絶縁伝送時基準出力信号を用いて算出される。そして当該相関式は実測値の絶縁伝送時基準出力信号に基づいて算出されているため、当該信号経路に累積して実在する誤差要因が考慮された式となっており、絶縁伝送の前後における信号間の相関を正確に表す式となる。よって当該相関式を用いれば、絶縁伝送された信号から正確なアナログ入力信号が演算される。
【００２２】
これにより、信号経路を構成する各種素子の特性にイニシャル素子ばらつきが存在する場合等においても、これらの誤差要因が補正され取り除かれた相関式を用いることで、
絶縁伝送された信号からアナログ入力信号に応じた正確な信号伝送出力信号を演算し、演算された信号伝送出力信号を出力信号として出力することが可能となる。
すなわち正確にアナログ入力信号を伝送することが可能となる。
【００２３】
また請求項６に係る絶縁型信号伝送方法は、請求項５に記載の絶縁型信号伝送方法において、絶縁伝送の前後における信号の相関を取得するステップは、アナログ入力信号の絶縁伝送の開始に先立ちまたは／およびアナログ入力信号の絶縁伝送の開始に伴って行われることを特徴とする。
【００２４】
絶縁伝送の前後における信号の相関を取得するステップは、アナログ入力信号の絶縁伝送の開始に先立ち、または／およびアナログ入力信号の絶縁伝送の開始に伴って行われる。よって、当該相関式をこれらのタイミングで適宜更新することが可能となる。これにより、信号経路を構成する各種素子に温度変化による特性ばらつきが発生する場合や、劣化等の経時変化による特性ばらつきが発生する場合においても、これらの特性ばらつきの経時的影響を排除することができ、正確にアナログ信号を伝送することが可能となる。よって絶縁伝送された信号から正確なアナログ入力電圧を算出することが可能となる。
【００２５】
また請求項７に係る絶縁型信号伝送装置は、アナログ入力信号を、絶縁伝送部を介して信号伝送装置出力信号として出力する絶縁型信号伝送装置において、基準入力信号を発生する基準入力信号発生部と、アナログ入力信号の入力端子から絶縁伝送部までの経路上に備えられ、基準入力信号とアナログ入力信号とを択一に選択するスイッチ部と、スイッチ部から入力される信号のレベルに応じたデューティを有する電気パルスを絶縁伝送部に出力するＰＷＭ変換部と、基準入力信号を絶縁伝送して得られる絶縁伝送部基準出力信号に基づいて絶縁伝送部における入出力信号間の相関式を算出し、該相関式を用いて絶縁伝送部の出力信号からアナログ入力信号に応じた信号伝送装置出力信号を演算する演算部とを備えることを特徴とする。
【００２６】
基準入力信号発生部は、基準入力信号を発生する。スイッチ部は、基準入力信号とアナログ入力信号とを択一に選択し、ＰＷＭ変換部へ出力する。ＰＷＭ変換部は、スイッチ部から入力される信号のレベルに応じたデューティを有する電気パルスを、絶縁伝送部に出力する。
当該電気パルスは、絶縁伝送部によって絶縁伝送される。演算部は、基準入力信号を絶縁伝送して得られる絶縁伝送部基準出力信号を用いて、絶縁伝送部における入出力信号間の相関式を算出する。そして当該相関式を用いて、絶縁伝送部の出力信号からアナログ入力信号に応じた信号伝送装置出力信号が演算され、出力される。
【００２７】
演算部で算出される相関式は、実測値の絶縁伝送部基準出力信号に基づいて算出されるため、当該信号経路に累積して実在する誤差要因が考慮された式となっており、絶縁伝送部に入力される信号と出力される信号との相関を正確に表す式となっている。よって、信号経路を構成する各種素子の特性にイニシャル素子ばらつきが存在する場合等においても、相関式においてはこれらの誤差要因が補正され取り除かれる。また信号経路を構成する各種素子に温度変化による特性ばらつきが発生する場合や、劣化等の経時変化による特性ばらつきが発生する場合においても、演算部で当該相関式を適宜更新することにより、これらの特性ばらつきの経時的な影響が補正され取り除かれる。よって正確にアナログ信号を伝送することが可能となる。
【００２８】
また請求項８に係る絶縁型信号処理装置は、アナログ入力信号を絶縁伝送部を介して信号伝送装置出力信号として出力する請求項１に記載の絶縁型信号伝送装置に加え、さらに信号伝送装置出力信号が入力される演算部を備える絶縁型信号処理装置であって、該演算部は、相異なる少なくとも２つの基準入力信号に応じて絶縁型信号伝送装置から出力される基準出力信号が入力され、基準出力信号に基づいて絶縁型信号伝送装置の入出力信号間の相関式を算出し、該相関式を用いて信号伝送装置出力信号からアナログ入力信号に応じた信号を演算することを特徴とする。
【００２９】
絶縁型信号処理装置は、絶縁型信号伝送装置に加えて、演算部を備える。絶縁型信号伝送装置からは、相異なる少なくとも２つの基準入力信号に応じて、基準出力信号が出力される。そして基準出力信号は演算部に入力される。演算部では、基準出力信号に基づいて絶縁型信号伝送装置の入出力信号間の相関式が算出され、該相関式を用いて、信号伝送装置出力信号からアナログ入力信号に応じた信号が演算される。ここで演算部とは、相関式による演算を行うことを主目的とする回路ではないＣＰＵ等であってもよい。
【００３０】
これにより、絶縁型信号伝送装置が、アナログ入力信号と基準入力信号とを選択して絶縁伝送部を介して絶縁伝送する機能のみを備える場合においても、演算部により、実測値を用いて、アナログ入力信号と信号伝送装置出力信号との相関を補正することが可能となるため、信号伝送装置出力信号から正確なアナログ入力電圧を得ることが可能となる。
【発明の効果】
【００３１】
本発明によれば、信号伝送経路を形成する各種素子の特性における、初期ばらつき・温度変化による精度ばらつき・劣化に代表される経時変化による精度ばらつき等の誤差要因の影響を排除し、入力信号を正確に伝送することが可能である絶縁型信号伝送装置、絶縁型信号処理装置および絶縁型信号伝送方法を提供することが可能となる。そして出力信号から正確なアナログ入力電圧を算出することができるため、絶縁伝送を介した計測対象の電圧センシングを正確に行うことが可能となる。
【発明を実施するための最良の形態】
【００３２】
以下、本発明の絶縁型信号伝送装置および絶縁型信号伝送方法について具体化した実施形態を図１乃至図３に基づき図面を参照しつつ詳細に説明する。第１実施形態を説明する。図１に本発明に係る絶縁型信号伝送装置１０を示す。
【００３３】
絶縁型信号伝送装置１０は、絶縁を維持したまま、アナログ入力電圧Ｖｉｎの電圧をＣＰＵ１６に伝え、アナログ入力電圧Ｖｉｎをセンシングする装置である。パワー系の回路（アナログ入力電圧Ｖｉｎ側の回路）と、制御系回路（ＣＰＵ１６側の回路）に分かれるときに、フォトカプラ４を介して信号伝達をすることにより、パワー系回路によって生じたノイズが制御系に伝達して、ＣＰＵ１６が誤動作することを防止することができる装置である。
【００３４】
絶縁型信号伝送装置１０は、入力電圧分圧部１、第１スイッチ部１２、電圧−ＰＷＭ変換部３、基準電圧発生部１４、基準電圧分圧部１１、第２スイッチ部１３、フォトカプラ４、ＤＡ変換部６、ＣＰＵ１６を備える。電圧−ＰＷＭ変換部３と基準電圧発生部１４は、集積回路１５に搭載されているものを使用してもよい。（例えば、テキサス・インスツルメンツ社製のＴＬ５９４）。第１スイッチ部１２はスイッチＳＷ１およびＳＷ２を備える。また第２スイッチ部１３はスイッチＳＷ３およびＳＷ４を備える。またＤＡ変換部６は、バッファ１７、抵抗素子Ｒ５、キャパシタＣ１を備える。
【００３５】
絶縁型信号伝送装置１０には、不図示のモータが接続される。そしてモータの母線電圧が、電圧センシング対象であるアナログ入力電圧Ｖｉｎとされる。アナログ入力電圧Ｖｉｎの入力端子は、入力電圧分圧部１および第１スイッチ部１２のスイッチＳＷ１を介して電圧−ＰＷＭ変換部３に接続される。また基準電圧発生部１４の出力端子は、基準電圧分圧部１１、第２スイッチ部１３のスイッチＳＷ３およびＳＷ４、第１スイッチ部１２のスイッチＳＷ２を介して電圧−ＰＷＭ変換部３に接続される。電圧−ＰＷＭ変換部３の出力端子は、フォトカプラ４を介して、ＣＰＵ１６の入力端子ＩＮ１に接続される。入力端子ＩＮ１は、パルスのデューティを測定可能なデジタル入力端子である。また電圧−ＰＷＭ変換部３の出力端子は、フォトカプラ４およびＤＡ変換部６を介して、ＣＰＵ１６の入力端子ＩＮ２に接続される。入力端子ＩＮ２はアナログ入力端子である。
【００３６】
基準電圧発生部１４からは、基準電圧Ｖｒｅｆが出力される。基準電圧Ｖｒｅｆは、初期ばらつき・温度変化による精度ばらつきが十分小さく、また劣化に代表される経時変化による精度ばらつきがない高精度の電圧である。基準電圧発生部１４の出力端子は基準電圧分圧部１１に接続される。
【００３７】
基準電圧分圧部１１は、同一構成の抵抗素子Ｒ１乃至Ｒ４が直列接続された構成を備える。基準電圧分圧部１１のノードＮ１はスイッチＳＷ３へ接続され、ノードＮ２はスイッチＳＷ４へ接続される。基準電圧分圧部１１は同一構成の抵抗素子Ｒ１乃至Ｒ４を備えて構成されるため、環境温度の変化等によっても分圧比が変動することを抑制することが可能である。よって正確な分圧Ｖ１（ノードＮ１）および分圧Ｖ２（ノードＮ２）を得ることができる。
【００３８】
スイッチＳＷ３およびＳＷ４の他端は共通接続された上で、スイッチＳＷ２に接続される。また入力電圧分圧部１のノードＮ３は、スイッチＳＷ１に接続される。スイッチＳＷ１乃至ＳＷ４には、電圧制御型のスイッチング素子（ＭＯＳトランジスタ）が用いられている。これにより、スイッチで電流を消費しないため、電圧降下の発生を抑止できる。よって当該絶縁型信号伝送装置１０の出力信号に誤差が発生することを防止できる。またスイッチＳＷ１乃至ＳＷ４には、不図示の信号線が接続され、ＣＰＵ１６により制御される。
【００３９】
絶縁型信号伝送装置１０の動作を説明する。第１実施形態では、ＣＰＵ１６の入力端子ＩＮ１に直接パルス信号を入力する場合を説明する。また例として、基準電圧Ｖｒｅｆが５．００（Ｖ）である場合を説明する。このとき、基準電圧分圧部１１の抵抗素子Ｒ１乃至Ｒ４は全て同一構成であるため、ノードＮ１における分圧Ｖ１は２．５０（Ｖ）、ノードＮ２における分圧Ｖ２は１．２５（Ｖ）となる。また２．５０（Ｖ）の分圧Ｖ１は、４００（Ｖ）のアナログ入力電圧Ｖｉｎに対応するとする。また１．２５（Ｖ）の分圧Ｖ２は、２００（Ｖ）のアナログ入力電圧Ｖｉｎに対応するとする。なお、分圧Ｖ１、Ｖ２とアナログ入力電圧Ｖｉｎとの対応は、入力電圧分圧部１の分圧比や、電圧−ＰＷＭ変換部３の入力電圧のレンジによって、回路設計により予め定められるものであり、既知とされる。
【００４０】
図２の動作フローチャートを説明する。絶縁型信号伝送装置１０は、当該装置の起動・電源投入時や、絶縁型信号伝送装置１０に接続されたモータの回転指令のない状態での一定時間経過ごとに、「調整モード」に移行し、アナログ入力電圧Ｖｉｎの電圧センシング特性を調整する。そして回転指令に応じて「動作モード」に移行し、モータ回転動作時における電圧センシングを行い、モータの動作を監視する。
【００４１】
ステップＳ０ではＣＰＵ１６において、絶縁型信号伝送装置１０のステータスが電源投入時、または、モータ回転指令（ＲＵＮ信号）時であるか否かが判断される。電源投入時ではない場合および回転指令のない状態で一定時間が経過していない場合（Ｓ０：Ｎ）には、ステップＳ８へ進みフローが終了される。一方、電源投入時または回転指令のない状態で一定時間が経過している場合（Ｓ０：Ｙ）には、ステップＳ１に進み「調整モード」に移行する。
【００４２】
ステップＳ２において、スイッチＳＷ２およびＳＷ３が導通状態、スイッチＳＷ１およびＳＷ４が非導通状態とされ、基準入力信号である分圧Ｖ１が選択され、電圧−ＰＷＭ変換部３に入力される。分圧Ｖ１は、前述のとおり環境温度の変化等においても変動が小さく、ほぼ正確に２．５０（Ｖ）の値を示す。ここで電圧−ＰＷＭ変換部３への入力電圧＝２．５０（Ｖ）は、アナログ入力電圧Ｖｉｎ＝４００（Ｖ）に相当する。電圧−ＰＷＭ変換部３からは、分圧Ｖ１のレベルに応じたデューティを有するパルス信号Ｐ１が出力される。パルス信号Ｐ１はフォトカプラ４を介して絶縁伝送され、パルス信号Ｐ１ａとして出力される。
【００４３】
電圧−ＰＷＭ変換部３を備える利点を説明する。アナログ信号を伝送可能なリニア型フォトカプラは、製造が難しく、信頼性、信号の伝送精度、経時劣化に対する耐性等が低くなる場合がある。しかし本実施形態では、電圧−ＰＷＭ変換部３においてアナログ信号をパルス信号に変換しているため、フォトカプラ４にはリニア型を用いる必要がなく、２値信号を伝送可能なものを使用すれば足りる。これにより、リニア型フォトカプラを用いることに起因する誤差要因を排除することができ、絶縁型信号伝送装置１０の信号伝送における精度・信頼性を向上させることができる。
【００４４】
絶縁伝送後のパルス信号Ｐ１ａは、ＣＰＵ１６の入力端子ＩＮ１に入力される。本実施形態では、例として、電圧−ＰＷＭ変換部３から出力されたパルス信号が信号経路を伝送される間に誤差が発生し、その結果デューティＤ１（８０（％））のパルス信号が入力ＩＮ１に入力される場合を説明する。デューティＤ１には、電圧−ＰＷＭ変換部３からＣＰＵ１６に至るまでの信号経路の誤差要因（フォトカプラ４に代表される、信号経路を形成する各種素子の特性における初期ばらつき・温度変化による精度ばらつき・劣化に代表される経時変化による精度ばらつき等）が含まれている。そしてデューティＤ１は、アナログ入力電圧Ｖｉｎ＝４００（Ｖ）に対応するデューティであるとして、ＣＰＵ１６の不図示のメモリに記憶される。
【００４５】
次にステップＳ３に進み、スイッチＳＷ２およびＳＷ４が導通状態、スイッチＳＷ１およびＳＷ３が非導通状態とされ、基準入力信号である分圧Ｖ２が選択され、電圧−ＰＷＭ変換部３に入力される。分圧Ｖ２は、前述の通り正確に１．２５（Ｖ）の値を示す。ここで電圧−ＰＷＭ変換部３への入力電圧＝１．２５（Ｖ）は、アナログ入力電圧Ｖｉｎ＝２００（Ｖ）に相当する。電圧−ＰＷＭ変換部３からは、分圧Ｖ２に応じたデューティを有するパルス信号Ｐ２が出力される。パルス信号Ｐ２はフォトカプラ４を介して絶縁伝送され、パルス信号Ｐ２ａとして出力される。
【００４６】
絶縁伝送後のパルス信号Ｐ２ａはＣＰＵ１６の入力ＩＮ１に入力される。本実施形態では、例として、電圧−ＰＷＭ変換部３から出力されたパルス信号が信号経路を伝送される間に誤差が発生し、その結果デューティＤ２（３０（％））のパルス信号が入力ＩＮ１に入力される場合を説明する。デューティＤ２には、電圧−ＰＷＭ変換部３からＣＰＵ１６に至るまでの信号経路の誤差要因が含まれている。そしてデューティＤ２は、アナログ入力電圧Ｖｉｎ＝２００（Ｖ）に対応するデューティであるとして、ＣＰＵ１６の不図示のメモリに記憶される。
【００４７】
ステップＳ４乃至６において、ＣＰＵ１６によって計算が行われ、入力端子ＩＮ１に入力されるパルス信号の出力デューティＤｏｕｔとアナログ入力電圧Ｖｉｎとの相関（図３）を示す入力電圧換算式が算出される。まずステップＳ４において、入力電圧換算式のゲインαの計算が行われる。ゲインαは、入力電圧換算式における傾きである。ここで、分圧Ｖ２に対応するアナログ入力電圧（＝２００（Ｖ））を、アナログ入力電圧Ｖｉｎ２と表記する。下式（１）に示すように、ゲインαは、分圧Ｖ１と分圧Ｖ２とが入力された場合における、２点間のデューティを直線補間することで得られる。
ゲインα＝Ｖｉｎ２／（Ｄ１−Ｄ２）
＝２００／（８０−３０）＝４．０（Ｖ／％）  ・・・式（１）
【００４８】
次にステップＳ５において、入力電圧換算式のオフセットβの計算が行われる。分圧Ｖ１に対応するアナログ入力電圧（＝４００（Ｖ））を、アナログ入力電圧Ｖｉｎ１と表記する。オフセットβは入力電圧換算式におけるＹ切片であり、下式（２）で得られる。
オフセットβ--＝Ｖｉｎ１−（α×Ｄ１）
＝４００−（４．０×８０）＝８０．０（Ｖ）  ・・・式（２）
【００４９】
以上得られたゲインα、オフセットβにより、ステップＳ６において以下に示す入力電圧換算式（３）が得られる。
アナログ入力電圧Ｖｉｎ＝α×Ｄｏｕｔ＋β
＝４．０×Ｄｏｕｔ＋８０．０（Ｖ）  ・・・式（３）
【００５０】
そして回転指令に応じてステップＳ７に進み、絶縁型信号伝送装置１０は「動作モード」に移行する。動作モードでは、スイッチＳＷ１が導通状態、スイッチＳＷ２が非導通状態とされ、電圧−ＰＷＭ変換部３の入力信号としてアナログ入力電圧Ｖｉｎが選択される。そしてモータ回転中の母線電圧であるアナログ入力電圧Ｖｉｎが、絶縁型信号伝送装置１０を介して出力デューティＤｏｕｔを有するパルス信号としてＣＰＵ１６へ伝送される。そして出力デューティＤｏｕｔが、入力電圧換算式（３）によりアナログ入力電圧Ｖｉｎに応じた値に換算されることで、アナログ入力電圧Ｖｉｎのセンシングが行われる。
【００５１】
例として、モータ回転中の母線電圧が３６０（Ｖ）である場合の動作を説明する。このときアナログ入力電圧Ｖｉｎも３６０（Ｖ）となり、ノードＮ３における分圧Ｖ３は２．２５（Ｖ）となる。分圧Ｖ３は電圧−ＰＷＭ変換部３に入力され、電圧−ＰＷＭ変換部３からは分圧Ｖ３に応じたデューティのパルス信号が出力される。当該パルス信号はフォトカプラ４によって絶縁伝送され、電圧−ＰＷＭ変換部３からＣＰＵ１６までの経路における誤差要因を累積した状態のデューティ（７０％）となり、ＣＰＵ１６の入力ＩＮ１に入力される。ここで、誤差要因が累積されたデューティは、入力電圧換算式（３）に従った値となる。ＣＰＵ１６は、入力されるパルス信号のデューティ（７０％）から、ステップＳ６で得られた入力電圧換算式（３）を用いてアナログ入力電圧を算出し、アナログ入力電圧Ｖｉｎ＝３６０（Ｖ）であるとのセンシング結果を取得する。
【００５２】
以上詳細に説明したとおり、第１実施形態に係る絶縁型信号伝送装置１０では、分圧Ｖ１（アナログ入力電圧Ｖｉｎ＝４００（Ｖ）に対応）を絶縁伝送して得られるデューティＤ１のパルス信号Ｐ１ａ、および、分圧Ｖ２（アナログ入力電圧Ｖｉｎ＝２００（Ｖ）に対応）を絶縁伝送して得られるデューティＤ２のパルス信号Ｐ２ａを得ることができる。そして上記２点の実測のデューティ値を用いて、ＣＰＵ１６において入力電圧換算式を作成することにより、アナログ入力電圧Ｖｉｎとパルス信号の出力デューティＤｏｕｔとの相関を知ることができる。
【００５３】
ここで、分圧Ｖ１および分圧Ｖ２は、温度変化等の影響を受けにくい正確な電圧であることから、パルス信号Ｐ１ａ、Ｐ２ａのデューティＤ１、Ｄ２には電圧−ＰＷＭ変換部３からＣＰＵ１６に至るまでの信号経路の誤差要因（フォトカプラ４に代表される、信号経路を形成する各種素子の特性における初期ばらつき・温度変化による精度ばらつき・劣化に代表される経時変化による精度ばらつき等）が正確に現れている。そして入力電圧換算式は、実測値であるパルス信号Ｐ１ａ、Ｐ２ａに基づいて算出されているため、当該信号経路に累積して実在する誤差要因が考慮され、誤差が取り除かれた式となる。
【００５４】
これにより、信号経路を構成する各種素子の特性に初期ばらつきが存在する場合等においても、これらの誤差要因を取り除く補正が行われた入力電圧換算式を取得することができる。また信号経路を構成する各種素子に温度変化による特性ばらつきが存在する場合や、劣化等の経時変化による特性ばらつきが存在する場合においても、電源投入時や、回転指令のない状態で一定時間経過ごとに、ＣＰＵ１６で入力電圧換算式を更新することにより、これらの特性ばらつきの影響を取り除く補正を行うことができる。よって、絶縁型信号伝送装置１０を用いて、アナログ入力電圧Ｖｉｎを正確にＣＰＵ１６へ伝送することが可能となる。そしてＣＰＵ１６に入力されるパルス信号のデューティから、正確なアナログ入力電圧Ｖｉｎを算出することが可能となる。
【００５５】
第２実施形態を図１を用いて説明する。第２実施形態は、フォトカプラ４から出力されるパルス信号を、ＤＡ変換部６を介してアナログ信号に変換した上で、ＣＰＵ１６の入力端子ＩＮ２に入力する形態である。ＤＡ変換部６は、バッファ１７、抵抗素子Ｒ５、キャパシタＣ１を備える。抵抗素子Ｒ５およびキャパシタＣ１によって積分器が構成される。その他の形態は第１実施形態と同様であるため、ここでは説明を省略する。
【００５６】
動作を説明する。第１実施形態と同様にして、電源投入時などの所定タイミングで「調整モード」に移行し、分圧Ｖ１が電圧−ＰＷＭ変換部３に入力される。電圧−ＰＷＭ変換部３からは、分圧Ｖ１に応じたデューティを有するパルス信号Ｐ１が出力される。パルス信号Ｐ１はフォトカプラ４を介して絶縁伝送され、パルス信号Ｐ１ａとして出力され、ＤＡ変換部６に入力される。パルス信号Ｐ１ａは、ＤＡ変換部６によって、パルス信号Ｐ１ａのデューティに応じた電圧値Ｅ１に変換される。そして電圧値Ｅ１は、ＣＰＵ１６の入力ＩＮ２に入力される。電圧値Ｅ１は、アナログ入力電圧Ｖｉｎ＝４００（Ｖ）に対応する電圧値であるとして、ＣＰＵ１６の不図示のメモリに記憶される。
【００５７】
また同様にして、分圧Ｖ２に応じたパルス信号Ｐ２ａがＤＡ変換部６に入力され、電圧値Ｅ２に変換される。電圧値Ｅ２は、アナログ入力電圧Ｖｉｎ＝２００（Ｖ）に対応する電圧値であるとして、ＣＰＵ１６の不図示のメモリに記憶される。
【００５８】
記憶された電圧値Ｅ１、Ｅ２に基づき、ＣＰＵ１６によって計算が行われ、入力端子ＩＮ２に入力される電圧値とアナログ入力電圧Ｖｉｎとの相関を表す入力電圧換算式が算出される。算出方法は第１実施形態と同様であるため、ここでは説明を省略する。そして入力電圧換算式の取得後、回転指令に応じて「動作モード」に移行し、得られた入力電圧換算式を用いて、アナログ入力電圧Ｖｉｎのセンシングが行われる。
【００５９】
以上詳細に説明したとおり、第２実施形態では、分圧Ｖ１（アナログ入力電圧Ｖｉｎ＝４００（Ｖ）に対応）を絶縁伝送して得られる電圧値Ｅ１、および、分圧Ｖ２（アナログ入力電圧Ｖｉｎ＝２００（Ｖ）に対応）を絶縁伝送して得られる電圧値Ｅ２を得ることができ、電圧値Ｅ１およびＥ２に基づいて入力電圧換算式を算出することができる。
【００６０】
フォトカプラ４には応答遅れが存在する場合があり、応答遅れによってパルス信号のデューティ波形にひずみが発生する。また電圧−ＰＷＭ変換部３の起動時においては、電圧−ＰＷＭ変換部３の出力パルスの周期が不安定となる場合がある。また環境温度の変化に応じて、電圧−ＰＷＭ変換部３の出力パルスの周期が変化する場合がある。これらの場合に、直接パルス信号をＣＰＵ１６に入力すると、正確なデューティが読み込めず、その結果アナログ入力電圧Ｖｉｎのセンシングに誤差が発生する。よってＤＡ変換部６を用い、パルス信号のデューティを電圧値に変換した上でＣＰＵに入力することで、デューティ波形のひずみやパルス信号の周期変動の影響を取り除くことができる。これにより、精度の高いアナログ入力電圧Ｖｉｎのセンシングが可能となる。
【００６１】
また第１実施形態と同様に、信号経路を構成する各種素子の特性に初期ばらつきが存在する場合等においても、入力電圧換算式において、これらの誤差要因を取り除く補正を行うことができる。よって、ＣＰＵ１６の入力ＩＮ２に入力される電圧値から、正確なアナログ入力電圧Ｖｉｎを算出することが可能となる。
【００６２】
尚、本発明は前記実施形態に限定されるものではなく、本発明の趣旨を逸脱しない範囲内で種々の改良、変形が可能であることは言うまでもない。ＣＰＵ１６は、電源投入時、またはモータの回転指令のない状態での一定時間経過ごとに「調整モード」に移行するとしたが、この形態に限られない。負荷の動作中においても調整モードに移行し、入力電圧換算式の更新を行ってもよいことは言うまでもない。例えばモータにおいては、減速指令時直前にも調整モードへの移行を行うことができる。これにより、入力電圧換算式の更新の頻度を高めることができるため、より高精度な電圧センシングが可能となる。なおこの場合、調整モードの実行がモータの回転に与える影響を確認した上で調整モードに移行する必要がある。
【００６３】
また本実施形態では、絶縁型信号伝送装置１０は演算部としてのＣＰＵ１６を備えるとし、アナログ入力電圧Ｖｉｎの演算をＣＰＵ１６でソフトウエア的に行うとしたが、この形態に限られない。演算部としての演算処理をハードウエア的に行う専用回路（ＤＳＰ等）を、ＣＰＵ１６に代えて備える形態としてもよいことは言うまでもない。
【００６４】
また絶縁型信号伝送装置１０は演算部としてのＣＰＵ１６を備えるとしたが、この形態に限られず、絶縁型信号伝送装置１０に演算部を備える形態であってもよい。すなわち絶縁型信号伝送装置は、アナログ入力電圧Ｖｉｎと分圧Ｖ１およびＶ２とを選択して、フォトカプラ４を介して絶縁伝送する機能のみを備える、文字通りの伝送装置であってもよい。この場合には、絶縁型信号伝送装置の出力信号が入力される演算部（例えばＣＰＵ）が備えられ、絶縁型信号伝送装置と演算部とによって絶縁型信号処理装置が構成される。そして当該絶縁型信号伝送装置の出力信号が演算部に入力される。演算部は、絶縁型信号伝送装置の出力信号から、アナログ入力電圧Ｖｉｎに応じた値を算出する。よってこの形態によっても、精度の高いアナログ入力電圧Ｖｉｎのセンシングが可能となる。
【００６５】
また本実施形態では、基準入力信号は分圧Ｖ１とＶ２の２点としたが、この形態に限られず、基準入力信号が１つであってもよいことは言うまでもない。この場合には、相関関数にオフセットをかける補正を行うことができる。
【００６６】
また本実施形態では、入力電圧換算式の算出方法は２点間の直線補間であるとしたが、この形態に限られない。３つ以上の基準入力信号を用意し、それぞれの基準入力信号に対応するデューティを用いて変化割合を算出する補間方法であってもよいことは言うまでもない。３点以上のデータを用いて変化割合を算出する方法としては、例えば最小二乗法がある。この場合には、より入力電圧換算式の精度を高めることが可能となる。
【００６７】
また本実施形態では、絶縁伝送部にフォトカプラ４を使用するとしたが、この形態に限られず、トランス等を用いてもよいことは言うまでもない。またフォトカプラには、アナログ値を伝送可能なリニアフォトカプラを用いてもよく、この場合には、電圧−ＰＷＭ変換部３を不要とすることができる。
【００６８】
また本実施形態では、電圧−ＰＷＭ変換部３は、入力電圧を電圧レベルに対応したパルスデューティを有する電気パルス信号に変換するとしたが、この形態に限られない。ＣＰＵのポートに応じて、所定のビット数を備えたビット信号に変換する形態としてもよいことは言うまでもない。
【００６９】
尚、フォトカプラ４は絶縁伝送部の一例、分圧Ｖ１およびＶ２は基準入力信号の一例、基準電圧発生部１４は基準電圧発生回路の一例、基準電圧分圧部１１は分圧回路の一例、パルス信号Ｐ１ａおよびＰ２ａ、電圧値Ｅ１および電圧値Ｅ２は絶縁伝送部基準出力信号の一例、ＣＰＵ１６は演算部の一例、電圧−ＰＷＭ変換部３は２値信号変換器のそれぞれ一例である。
【図面の簡単な説明】
【００７０】
【図１】本発明に係る絶縁型信号伝送装置１０を示す図である。
【図２】絶縁型信号伝送装置１０の動作フローチャートである。
【図３】パルス信号の出力デューティＤｏｕｔとアナログ入力電圧Ｖｉｎとの相関図である。
【図４】特許文献１の絶縁型信号伝送装置の構成を示すブロック図である。
【符号の説明】
【００７１】
１  入力電圧分圧部
３  電圧―ＰＷＭ変換部
４  フォトカプラ
６  ＤＡ変換部
１０  絶縁型信号伝送装置
１１  基準電圧分圧部
１２  第１スイッチ部
１３  第２スイッチ部
１４  基準電圧発生部
１５  集積回路
１６  ＣＰＵ
α  ゲイン
β  オフセット
Ｄ１、Ｄ２  デューティ
Ｄｏｕｔ  出力デューティ
Ｖ１、Ｖ２、Ｖ３  分圧
Ｖｉｎ  アナログ入力電圧
Ｖｒｅｆ  基準電圧
【図１】
2006352646.tif 000003
【図２】
2006352646.tif 000004
【図３】
2006352646.tif 000005
【図４】
2006352646.tif 000006